(57)【要約】【課題】従来のものと比べ、より使い勝手の良いマスカラ塗布具、特に、マスカラ液の付着度合いとカールアップ度合いをコントロールすることのできるマスカラ塗布具を提供すること。【解決手段】ブラシ毛を芯部材に放射状に取り付けることにより形成されるブラシ部を軸部に保持せしめたマスカラ塗布具において、芯部材を弧状とすることにより、ブラシ部を弧状に形成せしめ、更にブラシ部の先端に前記ブラシ毛より細い繊維パイルで構成した植毛ブラシ部を設けたことを特徴とするマスカラ塗布具および次の工程（１）上記のマスカラ塗布具をマスカラ液に浸漬し、ブラシ部の弧の内側に付着したマス    カラ液を睫毛に塗布する工程、（２）前記マスカラ塗布具のブラシ部の弧の外側部分を用い、睫毛全体に上向きのカール    を与える工程、（３）前記マスカラ塗布具の植毛ブラシ部を用いて、睫毛へのマスカラ液の塗布状態や睫    毛のカール状態を調整する工程を含む睫毛の美容方法。【選択図】  図１ 
2005087635.tif 000002
【特許請求の範囲】
【請求項１】
ブラシ毛を芯部材に放射状に取り付けることにより形成されるブラシ部を軸部に保持せしめたマスカラ塗布具において、芯部材を弧状とすることにより、ブラシ部を弧状に形成せしめ、更にブラシ部の先端に前記ブラシ毛より細い繊維パイルで構成した植毛ブラシ部を設けたことを特徴とするマスカラ塗布具。
【請求項２】
前記植毛ブラシ部が、繊維パイルを静電植毛して形成されたものである請求項第１項記載のマスカラ塗布具。
【請求項３】
前記芯部材に放射状に取り付けられたブラシ毛が、弧の外側部分のものが相対的に長く、弧の内側のものが相対的に短くされたものである請求項第１項または第２項記載のマスカラ塗布具。
【請求項４】
前記芯部材に放射状に取り付けられたブラシ毛が、弧の外側部分のものの長さが、弧の内側のものの長さの２〜３倍である請求項第１項ないし第３項の何れかの項記載のマスカラ塗布具。
【請求項５】
前記芯部材に放射状に取り付けられたブラシ毛により形成されるブラシ部の断面形状が、円形、楕円形または多角形である請求項第１項ないし第４項の何れかの項記載のマスカラ塗布具。
【請求項６】
次の工程（１）〜（３）
（１）請求項１記載のマスカラ塗布具をマスカラ液に浸漬し、ブラシ部の弧の内側に付      着したマスカラ液を睫毛に塗布する工程、
（２）前記マスカラ塗布具のブラシ部の弧の外側部分を用い、睫毛全体に上向きのカー      ルを与える工程、
（３）前記マスカラ塗布具の植毛ブラシ部を用いて、睫毛へのマスカラ液の塗布状態や睫    毛のカール状態を調整する工程
を含む睫毛の美容方法。
【発明の詳細な説明】
【技術分野】
【０００１】
本発明はマスカラ塗布具に関し、更に詳細には、マスカラ液の睫毛への塗布性を向上させたマスカラ塗布具およびこれを用いる睫毛の美容方法に関する。
【背景技術】
【０００２】
マスカラ液を睫毛に塗布するために、マスカラ塗布具が使用されている。このマスカラ塗布具としては、円筒状や、円錐の先端部を除いた円錐台形状のブラシが多く使用されているが、最近では、これら円筒状のマスカラ塗布具の一部を切り欠いた形状（特許文献１〜２参照）や、中央部を窪ませた形状のもの（特許文献３参照）が提供されている。
【０００３】
また、これ以外の形状のものとしては、ブラシの中心軸を弧の形状とした、曲がった形状のブラシや（特許文献４〜６参照）、先端部にブラシとは別の軟質材料からなる先端部材を備えたマスカラ塗布具も知られている（特許文献７参照）。
【０００４】
しかしながら、上記のようなマスカラ塗布具でも、満足のゆく使い勝手のものであるとはいえず、より使い勝手が良く、より睫毛のフォルムをコントロールし易いマスカラ塗布具が求められている。
【０００５】
【特許文献１】特開平８−３３５１８号
【特許文献２】特開平９−２３８７４０号
【特許文献３】特開平１０−８０３２２号
【特許文献４】実開昭５８−８８９１２号
【特許文献５】実開平５−１４１１号
【特許文献６】特開２００１−２８６３４０号
【特許文献７】特開昭５６−８０２０８号
【発明の開示】
【発明が解決しようとする課題】
【０００６】
従って、本発明は従来のものと比べ、より使い勝手の良いマスカラ塗布具、特に、マスカラ液の付着度合いとカールアップ度合いをコントロールすることのできるマスカラ塗布具の提供をその課題とするものである。
【課題を解決するための手段】
【０００７】
本発明者は、マスカラ塗布具の形状に関し、鋭意検討を行っていたところ、マスカラ塗布具のブラシ毛を取り付ける芯部材を弧状とし、かつその先端に、前記ブラシ毛より細い繊維パイルで構成した植毛ブラシ部を設けることにより、マスカラ塗布具の部分ごとに違った使い方をすることができ、今までにない使用性を付与できることを見出し、本発明を完成した。
【０００８】
すなわち本発明は、ブラシ毛を芯部材に放射状に取り付けることにより形成されるブラシ部を軸部に保持せしめたマスカラ塗布具において、芯部材を弧状とすることにより、ブラシ部を弧状に形成せしめ、更にブラシ部の先端に前記ブラシ毛より細い繊維パイルで構成した植毛ブラシ部を設けたことを特徴とするマスカラ塗布具である。
【０００９】
また本発明は、次の工程（１）〜（３）
（１）上記のマスカラ塗布具をマスカラ液に浸漬し、ブラシ部の弧の内側に付着したマ      スカラ液を睫毛に塗布する工程、
（２）前記マスカラ塗布具のブラシ部の弧の外側部分を用い、睫毛全体に上向きのカー      ルを与える工程、
（３）前記マスカラ塗布具の植毛ブラシ部を用いて、睫毛へのマスカラ液の塗布状態や睫    毛のカール状態を調整する工程
を含む睫毛の美容方法である。
【発明の効果】
【００１０】
本発明のマスカラ塗布具は、従来のマスカラ塗布具と異なり、特に目立つ睫毛中央部のマスカラ処理を効率よく行うことができ、また、睫毛のカールアップも容易であるため、今までにない新しいタイプの、使い勝手の良いマスカラ塗布具として広く利用することができる。
【発明を実施するための最良の形態】
【００１１】
以下、本発明のマスカラ塗布具の実施態様を示す図面と共に説明を行う。
【００１２】
図１は、マスカラ塗布具の外観を、図２は、ブラシ部の横断面の例を、図３はブラシ部先端の縦断面を示す図面である。図中、１はマスカラ塗布具、２はブラシ毛、３は芯部材、４はブラシ部、５は軸部、６は植毛ブラシ部、７は把持部、８は植毛用部材をそれぞれ示す。
【００１３】
図１に示すマスカラ塗布具１は、ブラシ毛２を芯部材３に放射状に取り付けることによりブラシ部４を形成し、これを軸部５に保持せしめることにより作成される。使用されるブラシ毛２としては、この種のブラシに使用されるものであれば、特に制約なく使用できる。例えば、天然繊維、合成樹脂繊維等を使用でき、中実繊維でも中空繊維でも良い。また、この繊維は、断面が円形、だ円形、多角形、凸部や凹部を有する形状等、何れの形状であっても良い。更に、直毛であっても、曲毛であっても良い。
【００１４】
また、本発明においては、このブラシ毛２は、全てが同じ長さであっても良いが、後記するブラシ部の弧の外側と内側でその長さを代えることが好ましい。例えば、外側のブラシ毛の長さを、内側のブラシ毛の長さの２〜３倍程度とすることが好ましい。具体的には、例えば、図２のＡに示すように、ブラシ部４の断面を偏芯した円形とし、ブラシ毛の長さを変化させることができる。また、ブラシ部４の断面形状も、円だけでなく、必要に応じて種々の形状、例えば、楕円や、６角形、８角形等の多角形等とすることができる。ブラシ部４の断面が楕円の例を図２のＢに示すが、この例では楕円の一方の焦点に芯部材３を位置させ、ブラシ部４の断面全体が楕円を形成するようにブラシ毛の長さを調整している。いずれの場合も、ブラシ毛２の短い部分が弧の内側となるようにして、芯部材３付近に多く含まれるマスカラ液をより睫毛に付着し易くし、一方、ブラシ毛２の長い方は弧の外側に位置させて、睫毛をすき易く、また、持ち上げて睫毛をカールアップし易くすることが好ましい。
【００１５】
一方、このブラシ毛２を取り付ける芯部材３としては、例えば金属製ワイヤやプラスチック材料が使用でき、例えば金属性ワイヤを使用する場合は、折り返して２本とした後、これを捻り、その隙間にブラシ毛を植毛しても良いし、また、プラスチック材料を使用する場合は、これとブラシ毛を埋め込み成型しても良いし、また、挟み込むような形態としても良い。
【００１６】
本発明においては、芯部材３を弧状とすることにより、ブラシ部４を弧状に形成する点に特徴がある。ブラシ部４をこのような形状とするためには、ブラシ部４の中心となる芯部材３を弧状とすることが必要であり、この弧は、睫毛全体にフィットするような形状であることが好ましい。
【００１７】
更に、本発明のマスカラ塗布具では、ブラシ部４の先端側（軸部の反対側）に、植毛ブラシ部６を形成することが必要である。この植毛ブラシ部６は、ブラシ部４を形成するブラシ毛より細い繊維パイルで構成されるものであり、これをブラシ部４に取り付ける手段として、例えば、図３のようにブラシ部４の先端に取り付けられるゴムないしは合成樹脂で形成された植毛用部材８上に接着剤を塗布した後、これに繊維パイルを静電植毛する方法や、ブラシ部４の先端の芯部材またはブラシ毛に直接接着剤を塗布し、これに繊維パイルを静電植毛する方法などが採られる。
【００１８】
図３で示される前者の方法において、ブラシ部４の先端に取り付けられる植毛用部材８の形状は図３のような俵型が好ましいが、これに限定されず、砲弾型、円錐型、角柱型など本発明の効果を損なわない範囲であれば何れの形状であっても良い。また、前者の方法において、植毛用部材８に静電植毛して得られたものをブラシ部４に取り付けて植毛ブラシ部６としても良いし、植毛用部材８をブラシ部４に取り付けてから静電植毛し、植毛ブラシ部６としても良い。この時、取り付ける手段としては公知の方法が使用され、例えば、ブラシ部４の先端の芯部材に植毛用部材８または静電植毛した植毛用部材８をねじ込んだり、接着剤や熱等で接着したり、または、その両方の方法を用いて取り付けることができる。
【００１９】
後者の方法において、ブラシ部４の先端のブラシ毛に繊維パイルを静電植毛する場合に、静電植毛するブラシ部４先端部分の径を、ブラシ部４の他の部分の径と同じにしても良いし、静電植毛する先端部分のブラシ毛を少し刈り込んで、その径をブラシ部４の他の部分の径よりも小さくしてから静電植毛しても良い。その後、静電植毛された植毛ブラシ部６を図１のような俵型や砲弾型、円錐型、角柱型など種々の形状に刈り込んでも良い。
【００２０】
ここで使用される繊維パイルとしては、マスカラの塗布が可能な材料であれば特に制限されず、好ましい例としてナイロン、レーヨン、ポリプロピレン、ポリエチレンテレフタレート、ＰＢＴ等の合成樹脂、獣毛等の短繊維を挙げることができる。また、その短繊維の寸法もマスカラの塗布が可能な寸法であれば特に制限されないが、長さ０.５〜２.０ｍｍ、1本の繊維の径が０.０５〜０.３ｍｍのものが好ましい。
【００２１】
本発明のマスカラ塗布具では、例えば、植毛ブラシ部６を先端に取り付けたブラシ部４を軸部５に装着し、更に把持部７に保持させることにより作製される。ブラシ部４を軸部５に装着する手段としては、公知の方法が使用され、軸部５の中心に設けた穴の中に芯部材３の末端部を挿入し、接着剤等で接着する方法や、軸部５の材料として熱硬化性プラスチックを用い、芯部材３の末端部と共に成型、固着する方法等を使用することができる。なお、ブラシ部４を軸部５に着装するに当たっては、軸部５に対するブラシ部４の取り付け部と、植毛ブラシ部６が、軸部５の中心線上にあるようにしておくことが、収納上も、また、使用上からも好ましい。
【００２２】
上記した、本発明のマスカラ塗布具は、単独で用いても良いが、例えば把持部７の他端に直線状のマスカラブラシを取り付けて用いても良い（図示せず）。また、後記するように、本発明のマスカラ塗布具は、使用する位置により化粧効果が大きく異なるので、正しい位置で使用できるような目印、例えば、把持部７や軸部５の使用時に指が当たる位置に小突起や小孔を設けても良い。更に、目立つ位置に何らかの記号（図示せず）を表記しても良い。
【００２３】
以上のようにして作製される本発明マスカラ塗布具を用いて、睫毛にマスカラ液を塗布するには、例えば、次のようにすれば良い。まず、マスカラ塗布具１をマスカラ液に浸漬し、ブラシ部４の弧の内側に付着したマスカラ液を睫毛に塗布する。この際、ブラシ部４が、睫毛にフィットした弧状であるため、一度にほとんどの睫毛を塗布することができ、睫毛一本一本に均一にマスカラ液を塗布することが可能となる。
【００２４】
次に、マスカラ塗布具のブラシ部４の弧の外側部分を、睫毛の根本にあて、ここから持ち上げてゆくと、睫毛全体に上向きのカール状とすることができる。そして、ブラシ部４の弧外側部分は、ブラシ毛２が弧内側部分に比べ粗であるため、マスカラ液の付着量が少なく、睫毛同士がマスカラ液で付着しにくい。特に、ブラシ部４の弧外側部分のブラシ毛２を相対的に長くした場合には、この効果がより高くなる。
【００２５】
更に、植毛ブラシ部６を用いて、睫毛の根本にマスカラ液を塗布することにより、睫毛のボリューム感を上げたり、アイライン効果を得ることができる。また、この植毛ブラシ部６を用いて、睫毛の根本から押し上げることにより、更にカール効果を上げることができるなど、睫毛の形態を種々に調整、処理することが可能である。
【産業上の利用可能性】
【００２６】
以上説明したように、本発明のマスカラ塗布具は、ブラシ部４の弧内側部分および弧外側部分ならびに植毛ブラシ部６を使い分けることにより、従来のマスカラ塗布具に比べ、効果的にマスカラ液を塗布することができるものであり、今までにない新しいタイプの、使い勝手の良いマスカラ塗布具として広く利用することができる。
【図面の簡単な説明】
【００２７】
【図１】本発明マスカラ塗布具の外観を示す図面
【図２】本発明マスカラ塗布具の、ブラシ部の断面の例を示す図面
【図３】本発明マスカラ塗布具の、ブラシ部先端の縦断面を示す図面
【符号の説明】
【００２８】
１ … … マスカラ塗布具
２ … … ブラシ毛
３ … … 芯部材
４ … … ブラシ部
５ … … 軸部
６ … … 植毛ブラシ部
７ … … 把持部
８ … … 植毛用部材
以    上
【図１】
2005087635.tif 000003
【図２】
2005087635.tif 000004
【図３】
2005087635.tif 000005